(57)【要約】　　　（修正有）【課題】ディスクアレイ装置に於いて、ハードディスクドライブの動作や故障個所の特定表示し、効率的なメンテナンスが実現出来る表示装置を提供する。【解決手段】ハードディスクドライブ及び前記ハードディスクドライブを収納するための収納ケースを備えて構成される複数の記憶デバイスユニット１２５０が隣接して配置されてなるディスクアレイ装置であって、前記各記憶デバイスユニット１２５０は、それぞれの前記ハードディスクドライブの動作状態を表示するための発光素子を前記収納ケースに装着していることを特徴とする。また、前記記憶デバイスユニット１２５０は、前記ハードディスクドライブに記憶されるデータの入出力のための第１のコネクタと、前記第１のコネクタと離間されて配置される、前記発光素子の制御信号の入出力のための第２のコネクタとを備える。【選択図】　　　図５
2004118946.tif 000002
【特許請求の範囲】
【請求項１】
ハードディスクドライブ及び前記ハードディスクドライブを収納するための収納ケースを備えて構成される複数の記憶デバイスユニットが隣接して配置されてなるディスクアレイ装置であって、
前記各記憶デバイスユニットは、それぞれの前記ハードディスクドライブの動作状態を表示するための発光素子を前記収納ケースに装着していることを特徴とするディスクアレイ装置。
【請求項２】
請求項１に記載のディスクアレイ装置であって、
前記記憶デバイスユニットは、前記ハードディスクドライブに記憶されるデータの入出力のための第１のコネクタと、前記第１のコネクタと離間されて配置される、前記発光素子の制御信号の入出力のための第２のコネクタとを備えていることを特徴とするディスクアレイ装置。
【請求項３】
請求項１に記載のディスクアレイ装置であって、
前記発光素子として、前記収納ケースに装着された第１の発光素子および第２の発光素子を備え、
前記ハードディスクドライブが動作停止中の状態である場合には、前記第１の発光素子及び前記第２の発光素子を消灯させ、
前記ハードディスクドライブが正常稼働中の状態である場合には、前記第１の発光素子を点灯させ前記第２の発光素子を消灯させ、
前記ハードディスクドライブが交換可能な状態である場合には、前記第１の発光素子を消灯させ前記第２の発光素子を点灯させ、
前記ハードディスクドライブが故障中の状態である場合には、前記第１の発光素子を消灯させ前記第２の発光素子を点滅させ、
前記ハードディスクドライブに記憶されるデータの修復中の状態である場合には、前記第１の発光素子及び前記第２の発光素子が点滅させる手段、
を備えることを特徴とするディスクアレイ装置。
【請求項４】
請求項１に記載のディスクアレイ装置であって、
前記発光素子として、前記収納ケースに装着された第１の発光素子および第２の発光素子を備え、
前記ハードディスクドライブにはＲＡＩＤ１〜５の運用方式が適用され、
ＲＡＩＤ１〜５の修復機能によりデータを復元中であるハードディスクドライブについては前記第１の発光素子及び第２の発光素子を点滅させ、
他のハードディスクドライブの修復のためにデータの読み出し中であるハードディスクドライブについては前記第１の発光素子及び前記第２の発光素子を点灯させること、を特徴とするディスクアレイ装置。
【請求項５】
請求項１に記載のディスクアレイ装置であって、
前記発光素子は、前記ハードディスクドライブの動作状態を表示するために設けられる情報処理装置に表示される動作状態と一致した動作状態を表示することを特徴とするディスクアレイ装置。
【請求項６】
請求項１に記載のディスクアレイ装置であって、
前記収納ケースには、前記発光素子からの光を混色させて視認方向に透過させるための視認窓が設けられていることを特徴とするディスクアレイ装置。
【請求項７】
ハードディスクドライブ及び前記ハードディスクドライブを収納するための収納ケースを備えて構成される複数の記憶デバイスユニットが隣接して配置されてなるディスクアレイ装置に用いられる前記記憶デバイスユニットであって、
前記ハードディスクドライブの動作状態を表示するための発光素子が前記収納ケースに装着されていることを特徴とする記憶デバイスユニット。
【請求項８】
請求項７に記載の記憶デバイスユニットであって、
前記ハードディスクドライブに記憶されるデータの入出力のための第１のコネクタと、前記第１のコネクタと離間されて配置される、前記発光素子の制御信号の入出力のための第２のコネクタとを備えていることを特徴とする記憶デバイスユニット。
【請求項９】
請求項７に記載の記憶デバイスユニットであって、
前記発光素子として、前記収納ケースに装着された第１の発光素子および第２の発光素子を備え、
前記ハードディスクドライブが動作停止中の状態である場合には、前記第１の発光素子及び第２の発光素子を消灯させ、
前記ハードディスクドライブが正常稼働中の状態である場合には、前記第１の発光素子を点灯させ前記第２の発光素子を消灯させ、
前記ハードディスクドライブが交換可能な状態である場合には、前記第１の発光素子を消灯させ前記第２の発光素子を点灯させ、
前記ハードディスクドライブが故障中の状態である場合には、前記第１の発光素子を消灯させ前記第２の発光素子を点滅させ、
前記ハードディスクドライブに記憶されるデータの修復中の状態である場合には、前記第１の発光素子及び前記第２の発光素子が点滅させる手段、
を備えることを特徴とする記憶デバイスユニット。
【請求項１０】
請求項７に記載の記憶デバイスユニットであって、
前記ハードディスクドライブにはＲＡＩＤ１〜５の運用方式が適用され、
ＲＡＩＤ１〜５の修復機能によりデータを復元中であるハードディスクドライブについては前記第１の発光素子及び第２の発光素子を点滅させ、
他のハードディスクドライブの修復のためにデータの読み出し中であるハードディスクドライブについては前記第１の発光素子及び前記第２の発光素子を点灯させること、を特徴とする記憶デバイスユニット。
【請求項１１】
請求項７に記載の記憶デバイスユニットであって、
前記発光素子は、前記ハードディスクドライブの動作状態を表示するために設けられる情報処理装置に表示される動作状態と一致した動作状態を表示することを特徴とする記憶デバイスユニット。
【請求項１２】
請求項７に記載の記憶デバイスユニットであって、
前記収納ケースには、前記発光素子からの光を混色させて視認方向に透過させるための視認窓が設けられていることを特徴とする記憶デバイスユニット。
【請求項１３】
ハードディスクドライブ及び前記ハードディスクドライブを収納するための収納ケースを備えて構成される複数の記憶デバイスユニットが隣接して配置されてなるディスクアレイ装置の制御方法であって、
前記収納ケースに装着された発光素子に、前記ハードディスクドライブの動作状態を表示させることを特徴とするディスクアレイ装置の制御方法。
【請求項１４】
請求項１３に記載のディスクアレイ装置の制御方法であって、
前記発光素子として備える前記収納ケースに装着された第１の発光素子および第２の発光素子により、
前記ハードディスクドライブが動作停止中の状態である場合には、前記第１の発光素子及び前記第２の発光素子を消灯させ、
前記ハードディスクドライブが正常稼働中の状態である場合には、前記第１の発光素子を点灯させ前記第２の発光素子を消灯させ、
前記ハードディスクドライブが交換可能な状態である場合には、前記第１の発光素子を消灯させ前記第２の発光素子を点灯させ、
前記ハードディスクドライブが故障中の状態である場合には、前記第１の発光素子を消灯させ前記第２の発光素子を点滅させ、
前記ハードディスクドライブに記憶されるデータの修復中の状態である場合には、前記第１の発光素子及び前記第２の発光素子を点滅させることを特徴とするディスクアレイ装置の制御方法。
【請求項１５】
請求項１３に記載のディスクアレイ装置の制御方法であって、
前記ハードディスクドライブにはＲＡＩＤ１〜５の運用方式を適用し、
前記発光素子として備える前記収納ケースに装着された第１の発光素子および第２の発光素子により、
ＲＡＩＤ１〜５の修復機能によりデータを復元中であるハードディスクドライブについては前記第１の発光素子及び第２の発光素子を点滅させ、
他のハードディスクドライブの修復のためにデータの読み出し中であるハードディスクドライブについては前記第１の発光素子及び前記第２の発光素子を点灯させること、を特徴とするディスクアレイ装置の制御方法。
【請求項１６】
請求項１３に記載のディスクアレイ装置の制御方法であって、
前記発光素子には、前記ハードディスクドライブの動作状態を表示するために設けられる情報処理装置に表示される動作状態と一致した動作状態を表示させることを特徴とするディスクアレイ装置の制御方法。
【請求項１７】
ハードディスクドライブ及び前記ハードディスクドライブを収納するための収納ケースを備えて構成される複数の記憶デバイスユニットが隣接して配置されてなるディスクアレイ装置に、
前記収納ケースに装着された発光素子に、前記ハードディスクドライブの動作状態を表示させる機能を実現させるためのプログラム。
【請求項１８】
請求項１７に記載のディスクアレイ装置に、
前記発光素子として備える前記収納ケースに装着された第１の発光素子および第２の発光素子により、
当該ハードディスクドライブが動作停止中の状態である場合には、前記収納ケースに装着された第１の発光素子及び第２の発光素子を消灯させ、
当該ハードディスクドライブが正常稼働中の状態である場合には、前記第１の発光素子を点灯させ前記第２の発光素子を消灯させ、
当該ハードディスクドライブが交換可能な状態である場合には、前記第１の発光素子を消灯させ前記第２の発光素子を点灯させ、
当該ハードディスクドライブが故障中の状態である場合には、前記第１の発光素子を消灯させ前記第２の発光素子を点滅させ、
当該ハードディスクドライブに記憶されるデータの修復中の状態である場合には、前記第１の発光素子及び前記第２の発光素子を点滅させる機能を実現させるためのプログラム。
【請求項１９】
請求項１７に記載のディスクアレイ装置に、
前記ハードディスクドライブにＲＡＩＤ１〜５の運用方式を適用し、
前記発光素子として備える前記収納ケースに装着された第１の発光素子および第２の発光素子により、
ＲＡＩＤ１〜５の修復機能によりデータを復元中であるハードディスクドライブについては前記第１の発光素子及び第２の発光素子を点滅させ、
他のハードディスクドライブの修復のためにデータの読み出し中であるハードディスクドライブについては前記第１の発光素子及び前記第２の発光素子を点灯させる機能を実現させるためのプログラム。
【請求項２０】
請求項１７に記載のディスクアレイ装置に、
前記ハードディスクドライブの動作状態を表示するために設けられる情報処理装置に表示される動作状態と一致した動作状態を前記発光素子に表示させる機能を実現させるためのプログラム。
【発明の詳細な説明】
【０００１】
【発明の属する技術分野】
本発明は、ディスクアレイ装置、記憶デバイスユニット、ディスクアレイ装置の制御方法、及びプログラムに関する。
【０００２】
【従来の技術】
ＩＴ関連産業の発達に伴い、ディスアレイ装置に対する需要が急増している。また、急増する需要に対応すべく、ディスクアレイ装置に実装されるディスクドライブの数は急増している。
【０００３】
【特許文献１】
特開平９−９１８５２号公報
【０００４】
【発明が解決しようとする課題】
一方で、限られた設置スペースの有効利用等のため、ディスクアレイ装置にはより一層の小形化が求められている。また、小形化により限られたスペースにディスクドライブを高密度に実装されることとなり、例えば、故障箇所の特定や障害原因の容易化など、ディスクアレイ装置にはより効率よくメンテナンスを行うための仕組みを設けることも必要となる。
そこで本発明はディスクアレイ装置、記憶デバイスユニット、ディスクアレイ装置の制御方法、及びプログラムを提供することを主たる目的とする。
【０００５】
【課題を解決するための手段】
ハードディスクドライブ及び前記ハードディスクドライブを収納するための収納ケースを備えて構成される複数の記憶デバイスユニットが隣接して配置されてなるディスクアレイ装置であって、前記各記憶デバイスユニットは、それぞれの前記ハードディスクドライブの動作状態を表示するための発光素子を前記収納ケースに装着している。
その他、本願が開示する課題、及びその解決方法は、発明の実施の形態の欄、実施例の欄、及び図面により明らかにされる。
【０００６】
【発明の実施の形態】
本明細書の記載により少なくとも次のことが明らかにされる。
本実施の形態の一態様は、ハードディスクドライブ及び前記ハードディスクドライブを収納するための収納ケースを備えて構成される複数の記憶デバイスユニットが隣接して配置されてなるディスクアレイ装置であって、前記各記憶デバイスユニットは、それぞれの前記ハードディスクドライブの動作状態を表示するための発光素子を前記収納ケースに装着していることを特徴とする。
このような態様により、各記憶デバイスユニットと各発光素子の対応が明確になり、動作状態の確認が容易になるため、ディスクアレイ装置のメンテナンス性が向上する。また、ディスクアレイ装置において、発光素子のための設置スペースを設ける必要が無くなるので、ディスクアレイ装置の小型化を図ることが可能となる。
【０００７】
本実施の形態の一態様は、前記ディスクアレイ装置であって、前記記憶デバイスユニットは、前記ハードディスクドライブに記憶されるデータの入出力のための第１のコネクタと、前記第１のコネクタと離間されて配置される、前記発光素子の制御信号の入出力のための第２のコネクタとを備えていることを特徴とする。
このような態様により、記憶デバイスユニット内部において発光素子を点灯させるための電気配線の配索自由度を増すことができる。これにより、発光素子を記憶デバイスユニットへ内蔵した場合に、発光素子を点灯させるための電気配線が発するノイズがハードディスクドライブへ読み書きされるデータへ与える悪影響を低減するように配索可能となる。
【０００８】
本実施の形態の一態様は、前記ディスクアレイ装置であって、前記発光素子として、前記収納ケースに装着された第１の発光素子および第２の発光素子を備え、前記ハードディスクドライブが動作停止中の状態である場合には、前記第１の発光素子及び前記第２の発光素子を消灯させ、前記ハードディスクドライブが正常稼働中の状態である場合には、前記第１の発光素子を点灯させ前記第２の発光素子を消灯させ、前記ハードディスクドライブが交換可能な状態である場合には、前記第１の発光素子を消灯させ前記第２の発光素子を点灯させ、前記ハードディスクドライブが故障中の状態である場合には、前記第１の発光素子を消灯させ前記第２の発光素子を点滅させ、前記ハードディスクドライブに記憶されるデータの修復中の状態である場合には、前記第１の発光素子及び前記第２の発光素子が点滅させる手段、を備えることを特徴とする。
このような態様により、２つの発光素子を用いてハードディスクドライブの動作状態を表示可能となる。これにより、従来ディスクアレイ装置の管理端末上に表示される動作状態のうち発光素子では表示不可能な動作状態が存在していたが、管理端末上の表示と発光素子による表示を一致させることが可能となり、ディスクアレイ装置のメンテナンス性を向上させることができる。
【０００９】
本実施の形態の一態様は、前記ディスクアレイ装置であって、前記発光素子として、前記収納ケースに装着された第１の発光素子および第２の発光素子を備え、前記ハードディスクドライブにはＲＡＩＤ１〜５の運用方式が適用され、ＲＡＩＤ１〜５の修復機能によりデータを復元中であるハードディスクドライブについては前記第１の発光素子及び第２の発光素子を点滅させ、他のハードディスクドライブの修復のためにデータの読み出し中であるハードディスクドライブについては前記第１の発光素子及び前記第２の発光素子を点灯させること、を特徴とする。
このような態様により、あるハードディスクドライブがＲＡＩＤグループ内においてデータ修復中の状態であった場合には、従来管理端末にその旨が表示されるのみで、当該ハードディスクドライブには何の表示もされなかった情報が、表示されるようにできるので、誤ってデータの修復中に記憶デバイスユニットを引き抜いてしまうようなことを防止することが可能となる。
【００１０】
本実施の形態の一態様は、前記ディスクアレイ装置であって、前記発光素子は、前記ハードディスクドライブの動作状態を表示するために設けられる情報処理装置に表示される動作状態と一致した動作状態を表示することを特徴とする。　　このような態様により、従来ディスクアレイ装置の管理端末上に表示される動作状態のうち発光素子では表示不可能な動作状態が存在していたが、管理端末上の表示と発光素子による表示を一致させることが可能となり、ディスクアレイ装置のメンテナンス性を向上させることができる。
【００１１】
本実施の形態の一態様は、前記ディスクアレイ装置であって、前記収納ケースには、前記発光素子からの光を混色させて視認方向に透過させるための視認窓が設けられていることを特徴とする。
このような態様により、複数の発光素子を同時に発光させて混色することができ、より多くのハードディスクドライブの動作状態を表示可能となる。これによりディスクアレイ装置のメンテナンス性を向上させることができた。
【００１２】
本実施の形態の一態様は、ハードディスクドライブ及び前記ハードディスクドライブを収納するための収納ケースを備えて構成される複数の記憶デバイスユニットが隣接して配置されてなるディスクアレイ装置に用いられる前記記憶デバイスユニットであって、前記ハードディスクドライブの動作状態を表示するための発光素子が前記収納ケースに装着されていることを特徴とする。
【００１３】
本実施の形態の一態様は、前記記憶デバイスユニットであって、前記ハードディスクドライブに記憶されるデータの入出力のための第１のコネクタと、前記第１のコネクタと離間されて配置される、前記発光素子の制御信号の入出力のための第２のコネクタとを備えていることを特徴とする。
【００１４】
本実施の形態の一態様は、前記記憶デバイスユニットであって、前記発光素子として、前記収納ケースに装着された第１の発光素子および第２の発光素子を備え、前記ハードディスクドライブが動作停止中の状態である場合には、前記第１の発光素子及び第２の発光素子を消灯させ、前記ハードディスクドライブが正常稼働中の状態である場合には、前記第１の発光素子を点灯させ前記第２の発光素子を消灯させ、前記ハードディスクドライブが交換可能な状態である場合には、前記第１の発光素子を消灯させ前記第２の発光素子を点灯させ、前記ハードディスクドライブが故障中の状態である場合には、前記第１の発光素子を消灯させ前記第２の発光素子を点滅させ、前記ハードディスクドライブに記憶されるデータの修復中の状態である場合には、前記第１の発光素子及び前記第２の発光素子が点滅させる手段、を備えることを特徴とする。
【００１５】
本実施の形態の一態様は、前記記憶デバイスユニットであって、前記ハードディスクドライブにはＲＡＩＤ１〜５の運用方式が適用され、ＲＡＩＤ１〜５の修復機能によりデータを復元中であるハードディスクドライブについては前記第１の発光素子及び第２の発光素子を点滅させ、他のハードディスクドライブの修復のためにデータの読み出し中であるハードディスクドライブについては前記第１の発光素子及び前記第２の発光素子を点灯させること、を特徴とする。
【００１６】
本実施の形態の一態様は、前記記憶デバイスユニットであって、前記発光素子は、前記ハードディスクドライブの動作状態を表示するために設けられる情報処理装置に表示される動作状態と一致した動作状態を表示することを特徴とする。
【００１７】
本実施の形態の一態様は、前記記憶デバイスユニットであって、前記収納ケースには、前記発光素子からの光を混色させて視認方向に透過させるための視認窓が設けられていることを特徴とする。
【００１８】
本実施の形態の一態様は、ハードディスクドライブ及び前記ハードディスクドライブを収納するための収納ケースを備えて構成される複数の記憶デバイスユニットが隣接して配置されてなるディスクアレイ装置の制御方法であって、前記収納ケースに装着された発光素子に、前記ハードディスクドライブの動作状態を表示させることを特徴とする。
【００１９】
本実施の形態の一態様は、前記ディスクアレイ装置の制御方法であって、前記発光素子として備える前記収納ケースに装着された第１の発光素子および第２の発光素子により、前記ハードディスクドライブが動作停止中の状態である場合には、前記第１の発光素子及び前記第２の発光素子を消灯させ、前記ハードディスクドライブが正常稼働中の状態である場合には、前記第１の発光素子を点灯させ前記第２の発光素子を消灯させ、前記ハードディスクドライブが交換可能な状態である場合には、前記第１の発光素子を消灯させ前記第２の発光素子を点灯させ、前記ハードディスクドライブが故障中の状態である場合には、前記第１の発光素子を消灯させ前記第２の発光素子を点滅させ、前記ハードディスクドライブに記憶されるデータの修復中の状態である場合には、前記第１の発光素子及び前記第２の発光素子を点滅させることを特徴とする。
【００２０】
本実施の形態の一態様は、前記ディスクアレイ装置の制御方法であって、前記ハードディスクドライブにはＲＡＩＤ１〜５の運用方式を適用し、前記発光素子として備える前記収納ケースに装着された第１の発光素子および第２の発光素子により、ＲＡＩＤ１〜５の修復機能によりデータを復元中であるハードディスクドライブについては前記第１の発光素子及び第２の発光素子を点滅させ、他のハードディスクドライブの修復のためにデータの読み出し中であるハードディスクドライブについては前記第１の発光素子及び前記第２の発光素子を点灯させること、を特徴とする。
【００２１】
本実施の形態の一態様は、前記ディスクアレイ装置の制御方法であって、前記発光素子には、前記ハードディスクドライブの動作状態を表示するために設けられる情報処理装置に表示される動作状態と一致した動作状態を表示させることを特徴とする。
【００２２】
本実施の形態の一態様は、ハードディスクドライブ及び前記ハードディスクドライブを収納するための収納ケースを備えて構成される複数の記憶デバイスユニットが隣接して配置されてなるディスクアレイ装置に、前記収納ケースに装着された発光素子に、前記ハードディスクドライブの動作状態を表示させる機能を実現させるためのプログラムに関する。
【００２３】
本実施の形態の一態様は、前記ディスクアレイ装置に、前記発光素子として備える前記収納ケースに装着された第１の発光素子および第２の発光素子により、当該ハードディスクドライブが動作停止中の状態である場合には、前記収納ケースに装着された第１の発光素子及び第２の発光素子を消灯させ、当該ハードディスクドライブが正常稼働中の状態である場合には、前記第１の発光素子を点灯させ前記第２の発光素子を消灯させ、当該ハードディスクドライブが交換可能な状態である場合には、前記第１の発光素子を消灯させ前記第２の発光素子を点灯させ、当該ハードディスクドライブが故障中の状態である場合には、前記第１の発光素子を消灯させ前記第２の発光素子を点滅させ、当該ハードディスクドライブに記憶されるデータの修復中の状態である場合には、前記第１の発光素子及び前記第２の発光素子を点滅させる機能を実現させるためのプログラムに関する。
【００２４】
本実施の形態の一態様は、前記ディスクアレイ装置に、前記ハードディスクドライブにＲＡＩＤ１〜５の運用方式を適用し、前記発光素子として備える前記収納ケースに装着された第１の発光素子および第２の発光素子により、ＲＡＩＤ１〜５の修復機能によりデータを復元中であるハードディスクドライブについては前記第１の発光素子及び第２の発光素子を点滅させ、他のハードディスクドライブの修復のためにデータの読み出し中であるハードディスクドライブについては前記第１の発光素子及び前記第２の発光素子を点灯させる機能を実現させるためのプログラムに関する。
【００２５】
本実施の形態の一態様は、前記ディスクアレイ装置に、前記ハードディスクドライブの動作状態を表示するために設けられる情報処理装置に表示される動作状態と一致した動作状態を前記発光素子に表示させる機能を実現させるためのプログラムに関する。
【００２６】
【実施例】
ディスクアレイ装置１０００の全体構成を示す概観図を図１に示す。
ディスクアレイ装置１０００はディスク制御装置１１００とディスク駆動装置１２００とを備えている。ディスク制御装置１１００はディスクアレイ装置１０００全体の制御を司る。ディスク駆動装置１２００はデータを記憶するハードディスクドライブをキャニスタに収納して構成される記憶デバイスユニット１２１０を多数収納する。図１に示すディスクアレイ装置１０００ではディスク制御装置１１００が中央に配置され、その左右にディスク駆動装置１２００が配置されている。
【００２７】
ディスク制御装置１１００は管理端末１１１０や、制御回路部１１２０、冷却用ファン１１３０、電源部１１４０等を備えている。管理端末１１１０はディスク制御装置１１００の前面中央に配置されている。管理端末１１１０はノート型コンピュータの形態をしており、折りたたみ可能に構成されたディスプレイ装置とキーボード装置を備えている。この管理端末１１１０により、保守員はディスクアレイ装置１０００を稼動させたまま記憶デバイスユニット１２１０のハードディスクドライブの動作状態をリアルタイムに確認することができる。また設定作業等の保守管理作業も行うことができる。制御回路部１１２０はディスクアレイ装置１０００全体の制御を司る部分であり、ＣＰＵ（Ｃｅｎｔｒａｌ　Ｐｒｏｃｅｓｓｉｎｇ　Ｕｎｉｔ）や、メモリ、キャッシュメモリ、通信ポート等を備えている。メモリに記憶されたプログラムをＣＰＵが読み出して実行することにより、ディスクアレイ装置１０００の制御が行われる。冷却用ファン１１３０は電源部１１４０を冷却するために用いられる。
【００２８】
ディスク駆動装置１２００には多数の記憶デバイスユニット１２１０が配置されている。記憶デバイスユニット１２１０は、ディスク駆動装置１２００の筐体に収納されるディスクユニット１２３０に着脱可能なように格納されている。記憶デバイスユニット１２１０はディスクアレイ装置１０００の前面側すなわち上記管理端末１１１０と同じ側に格納されるのみならず、反対側にも格納されている。また詳細は後述するが、各記憶デバイスユニット１２１０のハードディスクドライブの動作状態を表示するために、ＬＥＤ表示部１２４０が各ディスクユニット１２３０内に各記憶デバイスユニット１２１０に対応して設けられている。
【００２９】
また、ディスク駆動装置１２００とディスク制御装置１１００は相互に電気配線で結ばれており、記憶デバイスユニット１２１０のハードディスクドライブへ読み書きされるデータやＬＥＤ表示部１２４０のＬＥＤを点灯させるための駆動信号等が上記電気配線を通じて伝達される。ディスク駆動装置１２００には、ディスク制御装置１１００との間で上記データや信号を交信するためのインタフェースを備える、記憶デバイスユニットインタフェース回路１２６０がディスクユニット１２３０毎に設けられている。
【００３０】
なおディスクアレイ装置１０００の構成や配置は上記に限られるものではない。例えば管理端末１１１０はディスクアレイ装置１０００に組み込まれている必要は無く、通信ネットワークで結ばれた遠隔地のコンピュータとすることもできる。またノート型コンピュータの形態に限られず、例えばデスクトップ型の形態とすることもできる。
【００３１】
次に上記管理端末１１１０に表示される記憶デバイスユニット１２１０のハードディスクドライブの動作状態を示す画面表示例を図２乃至図３に示す。
図２は、あるディスクユニット１２３０の動作状態を示す画面表示例である。管理端末１１１０の画面上からの指定により、図２の例のようにディスクユニット１２３０単位で動作状態を表示することができる。動作状態の表示範囲は様々に指定可能で、例えばディスクアレイ装置１０００全体の動作状態を表示することもできる。
【００３２】
管理端末１１１０上でディスクユニット１２３０単位での動作状態表示を選択した場合は、当該ディスクユニット１２３０内の記憶デバイスユニット１２１０のハードディスクドライブの動作状態２１００や、ＬＥＤ表示部１２４０の動作状態２２００、ＬＥＤ駆動回路１２６２の動作状態２３００等がポップアップウインドウ内に表示される。動作状態が異常である場合には該当する部分が点滅する。
【００３３】
図２で表示される各装置の上にマウスのカーソルを重ねクリックすると、図３に示すようなポップアップウインドウが開き、詳細の動作状態が表示される。図３はある記憶デバイスユニット１２１０のハードディスクドライブの動作状態を表示させた場合の例である。データを記憶するための記憶デバイスとしての動作状態２４１０や記憶するデータを交信するためのポートの動作状態２４２０等が表示される。図３ではどちらの動作状態も正常である場合が表示されているが、異常である場合は、例えば”Ｗａｒｎｉｎｇ”等の文字が表示される。その他動作状態を詳細に表現するためのコメントが表示されることもある。
【００３４】
次に、従来のディスクアレイ装置における記憶デバイスユニット１２１０のハードディスクドライブの動作状態表示用ＬＥＤの実装例を図４に示す。
記憶デバイスユニット１２１０は、ディスク駆動装置１２００の筐体１２２０に最大４つ収納可能なディスクユニット１２３０内に、上下の段にそれぞれ最大１６台ずつ、合計３２台収納可能に配置される。各記憶デバイスユニット１２１０はディスクユニット１２３０の内部に設けられているガイドレールに沿って収納されている。記憶デバイスユニット１２１０の取り外しは、ディスクユニット１２３０の手前方向にガイドレールに沿って引き抜くことにより可能である。また記憶デバイスユニット１２１０の装着は、ガイドレールに沿ってディスクユニット１２３０の奥手方向に挿入し、ディスクユニット１２３０の奥手側正面部に装着されたマザーボード１２７０上に装着されたコネクタ１２７１と、記憶デバイスユニット１２１０のコネクタとを勘合させることにより行われる。なおマザーボード１２７０については、概略図を図１１に示す。
【００３５】
図４において、ＬＥＤ表示部１２４０は上下に配置された記憶デバイスユニット１２１０に挟まれる位置に配置される。１つのＬＥＤ表示部１２４０には、上段に配置された記憶デバイスユニット１２１０のハードディスクドライブの動作状態を表示するためのＬＥＤと、下段に配置された記憶デバイスユニット１２１０のハードディスクドライブの動作状態を表示するためのＬＥＤとが合わせて実装されている。これは、ディスク駆動装置１２００の小型化への強い要請からＬＥＤ表示部１２４０の占有スペースを極力小さくするためである。
【００３６】
ＬＥＤ表示部１２４０には、１枚のＬＥＤ表示基板１２４１に、上下各４台ずつの記憶デバイスユニット１２１０のハードディスクドライブの動作状態を表示するための８個の緑色ＬＥＤ１２４２と８個の赤色ＬＥＤ１２４３とが実装されている。
【００３７】
ＬＥＤ表示部１２４０は、ディスク駆動装置１２００の小型化への要請から図４に示されるように極力省スペースに実装される。しかし、より省スペース化を進めるためにはＬＥＤ表示部１２４０を記憶デバイスユニット１２１０に内蔵することが求められる。
【００３８】
しかしながら、記憶デバイスユニット１２１０のハードディスクドライブに読み書きされる入出力データの信号は小電圧、微細電流であるため、ＬＥＤ表示部１２４０を記憶デバイスユニット１２１０に内蔵した場合には、ＬＥＤを点灯させるための駆動信号からのノイズの影響を受けやすく、細心の注意が払われなければならない。そのためには、ＬＥＤ駆動信号からのノイズの影響の排除や、記憶デバイスユニット１２１０をマザーボード１２７０と接続するためのコネクタ部のインピーダンス整合、マザーボード１２７０上のインピーダンス分布の均一化等の問題を克服する必要がある。
【００３９】
一方、従来のＬＥＤ表示部１２４０は、１つのＬＥＤ表示部１２４０で８台分の記憶デバイスユニット１２１０のハードディスクドライブの動作状態を表示するように構成されている。そのため記憶デバイスユニット１２１０が８台揃っていなくてもＬＥＤ表示部１２４０には８台分のＬＥＤが存在し、無駄があった。
【００４０】
また８台分のＬＥＤ表示用回路が１枚の基板に実装されているため、ＬＥＤ表示基板１２４１の装着時に大きな突入電流がマザーボード１２７０上を流れるという問題があった。すなわちＬＥＤ表示基板１２４１上に主にノイズ除去を目的として設けられているコンデンサに残留電荷が蓄えられている場合、８台分の電荷が合計され、基板装着時に一気にマザーボード１２７０に流れ出すのである。このマザーボード１２７０上に発生する突入電流によるノイズのために記憶デバイスユニット１２１０のハードディスクドライブへの読み書きデータが乱される虞があった。
【００４１】
またＬＥＤ表示部１２４０の占有スペースの制約から、実装できるＬＥＤは１台の記憶デバイスユニット１２１０に対して緑色ＬＥＤと赤色ＬＥＤの２つが限度である。そのためＬＥＤで表示可能な動作状態の数は２つに留まり、管理端末１１１０に表示されるすべての動作状態をＬＥＤ表示部１２４０に表示することはできなかった。そのため、記憶デバイスユニット１２１０のハードディスクドライブがＬＥＤ表示部１２４０に表示できない動作状態にあるときには、保守作業員は管理端末１１１０の表示のみを頼りに、ＬＥＤによる動作状態表示のない記憶デバイスユニット１２１０に対して保守作業を行わなければならない。ディスクアレイ装置１０００を構成する記憶デバイスユニット１２１０は最大で数千台にもなるため、管理端末１１１０上で動作状態が確認できたとしても、数多くの記憶デバイスユニット１２１０を前に何の動作表示もない記憶デバイスユニット１２１０を間違いなく探しだし、保守作業を行うことは容易ではない。
【００４２】
そこでこのような問題点を解決し、ＬＥＤ表示部１２４０を記憶デバイスユニット１２１０に内蔵した場合の実装例を図５に示す。
図５においては動作表示用ＬＥＤを個々に内蔵した記憶デバイスユニット１２５０がディスクユニット１２３０内に収納されている。動作表示用ＬＥＤが記憶デバイスユニット１２５０に内蔵されているので、ＬＥＤ表示部１２４０の占有スペースは無くなった。その分ディスク駆動装置１２００が小型化可能になった。
【００４３】
また、記憶デバイスユニット１２５０内部に実装されるＬＥＤ表示用回路に設けられているノイズ除去用のコンデンサは、当該１台分の記憶デバイスユニット１２５０のみの容量である。そのため記憶デバイスユニット１２５０をディスクユニット１２３０に装着する際に発生する突入電流を少なくすることができ、記憶デバイスユニット１２５０のハードディスクドライブに読み書きされるデータへのノイズの影響が低減できる。
【００４４】
各記憶デバイスユニット１２１０に内蔵されたＬＥＤによる動作表示は視認窓１２５１を通して見ることができる。詳細は後述するが、視認窓１２５１には曇りガラス状の処理が施されている。そのためＬＥＤの光は視認窓１２５１で乱反射し視認窓１２５１全体が発光しているように見える。
【００４５】
次に、動作表示用ＬＥＤを内蔵した記憶デバイスユニット１２５０の外観図を図６に示す。
記憶デバイスユニット１２５０の外面はキャニスタ（収納ケース）１２５４と呼ばれる筐体で構成される。記憶デバイスユニット１２５０の前面側にはディスクユニット１２３０からの取り外しを容易に行うためのハンドル１２５８が装着されている。またデータを記録するためのハードディスクドライブ１２５７はキャニスタ１２５４の内部に収納されている。ハードディスクドライブ１２５７の動作状態を表示するためのＬＥＤはキャニスタ１２５４に装着されており、透過する光が乱反射するように処理が施された視認窓１２５１を通してＬＥＤの点灯状態を確認することができる。また記憶デバイスユニット１２５０の後部側にはマザーボード１２８０と接続するためのコネクタ１２５２、１２５３が設けられている。マザーボード１２８０については、概略図を図１２に示す。
【００４６】
図６において、ハードディスクドライブ１２５７へ読み書きされるデータやハードディスクドライブ１２５７を制御するための信号をやりとりするための電気回路はコネクタ１２５２を通じてマザーボード１２８０と接続される。またＬＥＤを点灯させるための電気回路はコネクタ１２５３を通じてマザーボード１２８０と接続される。このＬＥＤを点灯させるためのコネクタ１２５３はキャニスタ１２５４の端にコネクタ１２５２と離間させて装着されている。これによりキャニスタ１２５４内部でＬＥＤを点灯させるための電気配線の配索自由度を確保できるため、ＬＥＤ駆動信号をハードディスクドライブ１２５７への信号から離間させて配索可能となり、読み書きされる入出力データへの影響を小さくすることができる。
【００４７】
このようにＬＥＤ用のコネクタ１２５３を、ハードディスクドライブ１２５７用のコネクタ１２５２と分けることにより、キャニスタ１２５４内部でのＬＥＤ駆動信号線の配索自由度を増すことが可能となった。例えば、ＬＥＤ点灯用のコネクタ１２５３からＬＥＤまでの電気配線をワイヤケーブルやＦＰＣ（ＦｌｅｘｉｂｌｅＰｒｉｎｔｅｄ　Ｃｉｒｃｕｉｔ）等を用いることができ、ハードディスクドライブ１２５７用の信号線が通っている基板から極力遠ざけるように配索を行うことが可能となる。これにより、記憶デバイスユニット１２５０内部において、ＬＥＤ駆動信号線と読み書きデータの信号線との間のクロストークを避けることが可能となるため、ＬＥＤ駆動信号によるノイズが読み書きデータに伝播することを防止できるようになった。
【００４８】
また、ＬＥＤ用のコネクタ１２５３を、ハードディスクドライブ１２５７用のコネクタ１２５２と分けることにより、ハードディスクドライブ１２５７用コネクタ１２５２は、従来の記憶デバイスユニット１２１０で採用していたものと同じものを使用することができるので、マザーボード１２８０との接続により生じるインピーダンスの変化を無くすことができる。インピーダンスの変化はディスク制御装置１１００との間の通信信号の質に大きく影響する。特に通信路がファイバーチャネルである場合には影響は大きい。そのため通信路にファイバーチャネルを採用している場合には、通信路のインピーダンスの整合性について細心の注意が必要である。
【００４９】
またＬＥＤを記憶デバイスユニット１２１０に内蔵化する方法としては、キャニスタ１２５４内部に拡張基板を設ける方法も考えられる。すなわちキャニスタ１２５４内部のハードディスクドライブ１２５７に並行に拡張基板を配置し、拡張基板上にＬＥＤ点灯用信号線を配索すると共に、拡張基板の記憶デバイスユニット１２１０のハンドル側端面にＬＥＤを実装する。これによりＬＥＤをキャニスタ１２５４の内部に実装可能とするものである。しかしこの場合、マザーボードと接続するためのコネクタは拡張基板に設けることとなるため、ハードディスクドライブ１２５７用信号線も拡張基板上を経由して配索されることになる。このため通信路のインピーダンスが変化し、読み書きデータの信号の質を低下させる要因となる。しかし本実施例のように、ＬＥＤ用のコネクタ１２５３をハードディスクドライブ１２５７用のコネクタ１２５２と分けるようにすれば拡張基板は不要となり、そのような問題は生じない。
【００５０】
次に、本実施例に係るディスクアレイ装置１０００において、記憶デバイスユニット１２５０に内蔵されるＬＥＤにより表示される動作状態の例を図７に示す。
本実施例において使用されるＬＥＤは緑色のＬＥＤと赤色のＬＥＤの２色である。この２色のＬＥＤを用いて、図７に示すように、少なくとも１０種類の動作状態を表現することができる。
【００５１】
従来はＮｏ１乃至Ｎｏ４までしか表示することができなかった。すなわち、Ｎｏ１は、緑色ＬＥＤ、赤色ＬＥＤがともに消灯している場合であって、当該ハードディスクドライブ１２５７は動作していない状態であることを示している。Ｎｏ２は、緑色ＬＥＤのみが点灯している場合であって、当該ハードディスクドライブ１２５７へのデータアクセス中の状態であることを示している。ただしハードディスクドライブ１２５７へのデータアクセスの特性から、緑色ＬＥＤは不規則に点滅しているように見えるので、Ｎｏ３の緑色ＬＥＤの点滅もハードディスクドライブ１２５７へのデータアクセス中の状態であることを示すこととしている。Ｎｏ４は、赤色ＬＥＤのみが点灯している場合であって、当該ハードディスクドライブ１２５７は論理的にディスクアレイ装置１０００から切り離されている状態であることを示している。この状態であれば当該記憶デバイスユニット１２５０をディスクアレイ装置１０００から安全に引き抜くことができる。
【００５２】
従来ＬＥＤで表示できたのはＮｏ１乃至Ｎｏ４までのみであったので、例えば当該記憶デバイスユニット１２１０のハードディスクドライブが、Ｎｏ５及びＮｏ６に示すようなデータ修復中の状態であった場合には、管理端末１１１０にはその旨が表示されるものの、ＬＥＤ表示部１２４０には何の表示もされなかった。そのため当該記憶デバイスユニット１２１０のハードディスクドライブがデータ修復中であるにもかかわらず、ＬＥＤは点灯しておりハードディスクドライブが稼働中の時と区別ができなかった。
【００５３】
本実施例に係るディスクアレイ装置１０００においては、管理端末１１１０に表示される動作状態はＬＥＤにも表示されるので、上記のような問題は発生しない。
【００５４】
Ｎｏ５は、赤色ＬＥＤが所定の周期で点滅している場合であって、当該ハードディスクドライブ１２５７にエラーが発生している状態であることを示している。Ｎｏ６は、緑色ＬＥＤ、赤色ＬＥＤの両方が点灯している場合であって、ＲＡＩＤ（Ｒｅｄｕｎｄａｎｔ　Ａｒｒａｙｓ　ｏｆ　Ｉｎｅｘｐｅｎｓｉｖｅ　Ｄｉｓｋｓ）グループを構成する他のハードディスクドライブ１２５７のデータを修復するために、自己の記憶しているデータを読み出している状態であることを示している。ここでＲＡＩＤとは、データを複数のハードディスクドライブ１２５７に冗長性を持たせて記憶させることにより、耐故障性、高速性、信頼性を確保するための技術である。その冗長構成に応じてＲＡＩＤ０からＲＡＩＤ５までのレベルが存在する。なお、本発明においては、上記以外のＲＡＩＤレベル、すなわち冗長性をもたせてデータを記憶することによりデータの修復が可能なすべての態様が含まれる。
【００５５】
ここで、緑色のＬＥＤと赤色のＬＥＤの両方が点灯しているため、Ｎｏ２の状態とＮｏ４の状態が独立に生じているのではないかとの誤解を与える可能性が考えられるが、本実施例においては各ＬＥＤの光は視認窓１２５１を通して混色され、１色の光として見えるのでそのような誤解を生じることはない。緑色の光と赤色の光が混色されることにより、オレンジ色の光として視認することができる。従って、保守作業員は記憶デバイスユニット１２５０の視認窓１２５１がオレンジ色に発光していることを確認することにより、当該ハードディスクドライブ１２５７がデータ修復中であることを認識することができる。
【００５６】
Ｎｏ７は、緑色ＬＥＤ、赤色ＬＥＤの両方が同時に点滅している場合、すなわちオレンジ色に点滅している場合であって、自己の記憶していたデータを修復するために、ＲＡＩＤグループを構成する他のハードディスクドライブ１２５７からのデータに基づいて再生されたデータを書き込んでいる状態であることを示している。Ｎｏ８は、緑色ＬＥＤ、赤色ＬＥＤが交互に点滅している場合、すなわち視認窓１２５１には緑色と赤色が交互に点滅しているように見える場合である。Ｎｏ９は、緑色ＬＥＤは点灯、赤色ＬＥＤは点滅している場合、すなわち視認窓１２５１には緑色とオレンジ色が交互に点滅しているように見える場合である。Ｎｏ１０は、緑色ＬＥＤは点滅、赤色ＬＥＤは点灯している場合、すなわち視認窓１２５１にはオレンジ色と赤色が交互に点滅しているように見える場合である。
【００５７】
この他にも、点滅の周期を変えた表示パターンや、緑色、赤色、オレンジ色の３色を順番に表示させるパターン等、様々な態様が考えられ、数多くの動作状態を２色のＬＥＤにより表示することが可能である。
【００５８】
このように本実施例においては、設置スペースの厳しい制約の中、従来と同様に２つのＬＥＤを用いることにより、従来より多くの動作状態表示を可能となっている。
【００５９】
次に、記憶デバイスユニット１２５０に内蔵されるＬＥＤ及び視認窓の様子を図８に示す。
緑色ＬＥＤ１２５５、赤色ＬＥＤ１２５６、及び視認窓１２５１は、ハードディスクドライブ１２５７と共に、キャニスタ１２５４の内部に格納される。緑色ＬＥＤ１２５５と赤色ＬＥＤ１２５６はキャニスタ１２５４に隣接して装着され、その前面に置かれる視認窓１２５１を通してその発光する光が視認される。
【００６０】
視認窓１２５１には、光を乱反射させるための処理が施されている。そのためＬＥＤから発せられた光は視認窓全体からほぼ一様な光度で外部に出力される。また２色の光は視認窓１２５１により混色されて１色のオレンジ色として視認される。またＬＥＤの背後及び側面には光を良く反射させて視認窓１２５１の光度を上げるための反射板が設けられている。
【００６１】
視認窓１２５１に用いられる材料としては、ガラスやアクリル板、フィルム等様々なものを用いることができる。透過する光を乱反射させる作用を有する材料であればどのような材料でも用いることができる。
【００６２】
次に、従来のディスクアレイ装置における２色のＬＥＤを実装するための回路を図９に示す。
ＨＤＤ（ハードディスクドライブ）制御部１１２１は、ディスク制御装置１１００の制御回路部１１２０内に設けられている。ＨＤＤ制御部１１２１は、ディスクアレイ装置１０００に接続されるホスト計算機等からのデータアクセス要求を受けて、ディスク駆動装置１２００内の記憶デバイスユニット１２１０のハードディスクドライブへデータの読み出しや書き込みの制御信号を送信する。また記憶デバイスユニット１２１０のハードディスクドライブの動作状態を監視し、装置動作表示部（管理端末）１１１０に表示する。また記憶デバイスユニット１２１０のハードディスクドライブの動作状態に応じてＬＥＤ表示部１２４０のＬＥＤを点灯させるための制御信号を送信する。
【００６３】
これらの信号は、ディスク制御装置１１００とディスク駆動装置１２００とを結合する電気配線を通じて伝達される。ＨＤＤ制御部１１２１からの信号はディスク駆動装置１２００に配置された記憶デバイスユニットインタフェース回路１２６０を介して記憶デバイスユニット１２１０やＬＥＤ表示部１２４０に送られる。
【００６４】
記憶デバイスユニットインタフェース回路１２６０はＬＥＤ駆動回路（ＨＤＤ動作表示駆動回路）１２６２と、インタフェース制御回路（Ｉ／Ｆ制御回路）１２６１とを備えている。
【００６５】
ＬＥＤ駆動回路１２６２は、ＨＤＤ制御部１１２１からの指示を受けてＬＥＤを点灯させるための駆動信号を出力する。駆動信号はディスクユニット１２３０の背面部に設けられているマザーボード１２７０上の配線を経由して、ＬＥＤ表示基板１２４１に実装されている各ＬＥＤ１２４２、１２４３に伝えられる。１つのディスクユニット１２３０にはＬＥＤは６４個あるので、マザーボード１２７０上を配線されるＬＥＤ駆動信号の数は、電源線、ＧＮＤ線を除いて最低でも６４本にもなる。マザーボード１２７０上では、記憶デバイスユニット１２１０のハードディスクドライブに読み書きされるデータに悪影響を与えないようにこれら６４本のＬＥＤ駆動信号の配線パターンが配索されているが、ＬＥＤ表示部１２４０をマザーボード１２７０に装着する際には、８台の記憶デバイスユニット分すなわち１６個のＬＥＤ分の突入電流が同時に発生するので、マザーボード１２７０上における読み書きデータへノイズが伝播する可能性がある。
【００６６】
一方、図１０に示すように、本実施例に係るディスクアレイ装置における２色のＬＥＤを実装するための回路では、発生する突入電流は１台の記憶デバイスユニット分のみであるので、マザーボード１２８０上におけるハードディスクドライブ１２５７へ読み書きされるデータへのノイズ伝播を防止できる。
【００６７】
次に、従来のディスクアレイ装置におけるマザーボード１２７０上の様子を図１１に示す。
マザーボード１２７０には、記憶デバイスユニット１２１０を接続するためのコネクタ１２７１が上下２列に各１６台ずつ配置されている。そして中央部には、ＬＥＤ表示部１２４０を接続するためのコネクタ１２７２が１列に配置される。
【００６８】
上述したように、記憶デバイスユニット１２１０に読み書きされるデータの信号は小電圧化、微少電流化しており、他の信号からのノイズの影響を受けやすい状態にある。また同様な理由から、電源、ＧＮＤのわずかな変動によっても影響を受ける。
【００６９】
大きな記憶容量を誇るディスクアレイ装置１０００は、大規模な計算機システムに使用されるものであるため、極めて高い信頼性が要求される。そのため、小電圧、微弱電流であるデータ信号への悪影響は極力排除しなければならない。
【００７０】
従来のマザーボード１２７０では、ＬＥＤ表示部１２４０を接続するためのコネクタ１２７２が中央部に１列に並ぶ。そのためマザーボード１２７０の中央部には前記コネクタ装着のための穴１２７３が集中する。マザーボード１２７０の上半分と下半分の間での通電経路が狭くなることにより、マザーボード１２７０のインピーダンスが上昇し、電源、ＧＮＤの電位が変化しやすい状態になる。また外部からのノイズも受けやすい状態になる。
【００７１】
本実施例に係るマザーボード１２８０では、図１２に示すようにＬＥＤ表示用のコネクタ１２８２がマザーボード１２８０上の中央部に集中しないので、インピーダンスの上昇が避けられる。このため、電源、ＧＮＤの電位は安定し、外部からのノイズの影響も受けにくい構造とすることができる。これにより、ディスクアレイ装置１０００の信頼性を向上させると共に、メンテナンスの負担を軽減させることができた。
【００７２】
以上本実施の形態に係る実施例について説明したが、上記の実施例は本発明の理解を容易にするためのものであり、本発明を限定して解釈するためのものではない。本発明はその趣旨を逸脱することなく変更、改良され得ると共に、本発明にはその等価物も含まれる。
【００７３】
【発明の効果】
ディスクアレイ装置の小型化及びメンテナンスの容易化を図ることができる。
【図面の簡単な説明】
【図１】ディスクアレイ装置の全体構成を示す概観図である。
【図２】ディスクアレイ装置に設けられる管理端末に複数のハードディスクドライブの動作状態が表示された画面表示例を示す図である。
【図３】ディスクアレイ装置に設けられる管理端末に表示されたあるハードディスクドライブの動作状態を示す図である。
【図４】従来のディスクアレイ装置におけるハードディスクドライブの動作状態表示用ＬＥＤの実装例を示す図である。
【図５】本実施例に係るディスクアレイ装置におけるハードディスクドライブの動作状態表示用ＬＥＤの実装例を示す図である。
【図６】本実施例に係るディスクアレイ装置における記憶デバイスユニットを示す図である。
【図７】本実施例に係るディスクアレイ装置に実装されるＬＥＤにより表示されるハードディスクドライブの動作状態を示す図である。
【図８】本実施例に係るディスクアレイ装置に実装される２色のＬＥＤの視認窓を示す図である。
【図９】従来のディスクアレイ装置における２色のＬＥＤを実装するための回路を示す図である。
【図１０】本実施例に係るディスクアレイ装置における２色のＬＥＤを実装するための回路を示す図である。
【図１１】従来のディスクアレイ装置におけるマザーボードを示す図である。
【図１２】本実施例に係るディスクアレイ装置におけるマザーボードを示す図である。
【符号の説明】
１０００　ディスクアレイ装置
１１００　ディスク制御装置
１１１０　管理端末
１１２０　制御回路部
１１２１　ＨＤＤ制御部
１１３０　冷却用ファン
１１４０　電源部
１２００　ディスク駆動装置
１２１０　記憶デバイスユニット
１２２０　筐体
１２３０　ディスクユニット
１２４０　ＬＥＤ表示部
１２４１　ＬＥＤ表示基板
１２４２　緑色ＬＥＤ
１２４３　赤色ＬＥＤ
１２５０　記憶デバイスユニット
１２５１　視認窓
１２５２　リードライト用コネクタ
１２５３　ＬＥＤ表示用コネクタ
１２５４　キャニスタ
１２５５　緑色ＬＥＤ
１２５６　赤色ＬＥＤ
１２５７　ハードディスクドライブ
１２５８　ハンドル
１２６０　記憶デバイスユニットインタフェース回路
１２６１　インタフェース制御回路
１２６２　ＬＥＤ駆動回路
１２７０　マザーボード
１２７１　記憶デバイスユニット接続用コネクタ
１２７２　記憶デバイスユニット動作表示用基板接続用コネクタ
１２７３　貫通穴
１２８０　マザーボード
１２８１　リードライト用コネクタ接続位置
１２８２　ＬＥＤ表示用コネクタ接続位置
２０００　ディスクユニット内の動作状態表示画面
２１００　ハードディスクドライブの動作状態
２２００　ＬＥＤ表示回路の動作状態
２３００　ＬＥＤ駆動回路の動作状態
２４００　ハードディスクドライブの動作状態表示画面
２４１０　デバイス状態
２４２０　ポート状態
３０００　ＬＥＤ表示パターン
【図１】
2004118946.tif 000003
【図２】
2004118946.tif 000004
【図３】
2004118946.tif 000005
【図４】
2004118946.tif 000006
【図５】
2004118946.tif 000007
【図６】
2004118946.tif 000008
【図７】
2004118946.tif 000009
【図８】
2004118946.tif 000010
【図９】
2004118946.tif 000011
【図１０】
2004118946.tif 000012
【図１１】
2004118946.tif 000013
【図１２】
2004118946.tif 000014